(57)【要約】【課題】載置される電子機器の接点端子に対する摺動範囲を大きくとれ、セルフクリーニング効果を向上できる充電端子の構造を提供する。【解決手段】接点端子を有する電子機器の載置によって、接点端子に接触される充電端子を通して電子機器に充電を行う充電端子の構造であって、充電端子は、電子機器の接点端子に対向して配置される基板に取り付けられ、基板に固定される固定部と、固定部から延在する延在部と、延在部から基板側へ折り返される折り返し部と、折り返し部から電子機器の接点端子に向かい延在部から離間するように傾斜をもって延在する傾斜部と、傾斜部から湾曲する湾曲面を有し、湾曲面で電子機器の接点端子に接触する接触部と、を有する。【選択図】図４
2014192754.tif 000002
【特許請求の範囲】
【請求項１】
接点端子を有する電子機器の載置によって、前記接点端子に接触される充電端子を通して前記電子機器に充電を行う前記充電端子の構造であって、
前記充電端子は、
前記電子機器の前記接点端子に対向して配置される基板に取り付けられ、
前記基板に固定される固定部と、
前記固定部から延在する延在部と、
前記延在部から前記基板側へ折り返される折り返し部と、
前記折り返し部から前記電子機器の前記接点端子に向かい前記延在部から離間するように傾斜をもって延在する傾斜部と、
前記傾斜部の延在端が湾曲する湾曲面を有し、前記湾曲面で前記電子機器の前記接点端子に接触する接触部と、
を有することを特徴とする充電端子の構造。
【請求項２】
前記折り返し部は湾曲面となっていることを特徴とする請求項１に記載の充電端子の構造。
【請求項３】
前記折り返し部と前記傾斜部との間に、前記折り返し部から前記延在部にほぼ平行に延在する延長部を有することを特徴とする請求項１、２のいずれかに記載の充電端子の構造。
【発明の詳細な説明】
【技術分野】
【０００１】
本発明は充電端子の構造に係り、たとえばコードレス電話機に設けられる充電端子の構造に関する。
【背景技術】
【０００２】
このような充電端子の構造としては、たとえば、下記特許文献１に開示されたものが知られている。
特許文献１は、筐体本体（親機）に送受話器（子機）が搭載されるコードレス電話機の記載があり、筐体本体に設けられた充電端子が送受話器の接点端子に接触され、これら充電端子、接点端子を通して送受話器に充電がなされるようになっている。
【０００３】
充電端子は、弾性材からなり、基端部が筐体本体に螺子によって固定され、先端部が筐体本体に搭載された送受話器の接点端子に接触できるように形成されている。
送受話器を筐体本体に搭載した場合、送受話器がその接点端子の部分において充電端子を押圧し、充電端子は前記螺子の部分を支点にした移動（揺動）に応じた付勢力によって該接点端子を押圧するようになっている。
【先行技術文献】
【特許文献】
【０００４】
【特許文献１】特開２００６−８７２１８号公報
【発明の概要】
【発明が解決しようとする課題】
【０００５】
このような構成からなる充電端子は、酸化、あるいはゴミ、埃等の付着によって送受話器の接点端子との電気的な接触が充分でなくなり、該送受話器への充電が不良となってしまう不都合が生じる。
このため、送受話器のオンフック、オフフックの際に、送受話器の接点端子に対して充電端子を摺動させる、いわゆるセルフクリーニングによって、充電端子の酸化、あるいはゴミ、埃等の付着を回避し、充電不良の防止を図るようにしている。
【０００６】
しかし、特許文献１に示した充電端子の構造の場合、送受話器によって押圧される充電端子は、その基端部を支点とする円弧状の動きをするに過ぎないことから、接点端子に対する充電端子の摺動範囲が限られ、セルフクリーニング量も小さいという不都合を有していた。
【０００７】
本発明は、このような事情に鑑みてなされたものであり、その目的は、載置される電子機器の接点端子に対する摺動範囲を大きくとれ、セルフクリーニング効果を向上できる充電端子の構造を提供することにある。
【課題を解決するための手段】
【０００８】
本発明は、以下の構成によって把握される。
（１）本発明の充電端子の構造は、接点端子を有する電子機器の載置によって、前記接点端子に接触される充電端子を通して前記電子機器に充電を行う前記充電端子の構造であって、前記充電端子は、前記電子機器の前記接点端子に対向して配置される基板に取り付けられ、前記基板に固定される固定部と、前記固定部から延在する延在部と、前記延在部から前記基板側へ折り返される折り返し部と、前記折り返し部から前記電子機器の前記接点端子に向かい前記延在部から離間するように傾斜をもって延在する傾斜部と、前記傾斜部の延在端が湾曲する湾曲面を有し、前記湾曲面で前記前記電子機器の前記接点端子に接触する接触部と、を有して構成されることを特徴とする。
（２）本発明の充電端子の構造は、（１）の構成において、前記折り返し部は湾曲面となっていることを特徴とする。
（３）本発明の充電端子の構造は、（１）、（２）のいずれかの構成において、前記折り返し部と前記傾斜部との間に、前記折り返し部から前記延在部にほぼ平行に延在する延長部を有することを特徴とする。
【発明の効果】
【０００９】
このように構成した充電端子の構造によれば、載置される電子機器の接点端子に対する摺動範囲を大きくとれ、セルフクリーニング効果を向上できるようになる。
【図面の簡単な説明】
【００１０】
【図１】本発明の充電端子の構造が適用されるコードレス電話装置の正面図である。
【図２】図１のII−II線における断面図である。
【図３】コードレス電話装置に具備される送受話器の外観図である。
【図４】コードレス電話装置に具備される筐体本体の送受話器（子機）載置部の近傍を示す斜視図である。
【図５】図２の点線枠内の構成を拡大した拡大図で、筐体本体に送受話器を載置させた場合の充電端子の状態を示す図である。
【図６】本発明の充電端子の構造を示す斜視図である。
【図７】図５に対応する図で、筐体本体に送受話器を載置させていない場合の充電端子の状態を示す図である。
【図８】本発明の充電端子の変形の様子を示す図である。
【発明を実施するための形態】
【００１１】
以下、添付図面を参照して、本発明を実施するための形態（以下、実施形態）について詳細に説明する。なお、実施形態の説明の全体を通して同じ要素には同じ番号を付している。
（実施形態１）
図１は、コードレス電話装置の正面図である。図２は、図１のII−II線における断面図である。
図１、図２に示すように、コードレス電話装置１０は、筐体本体（親機）２０と、この筐体本体２０に配置される送受話器（子機）３０と、によって構成されている。送受話器３０は、筐体本体２０との間で無線によって制御信号のやり取りを行なうことができるようになっている。
【００１２】
筐体本体２０は、図１に示すように、送受話器３０の載置部以外の表面において、ダイヤルボタン２１、機能ボタン２２が設けられている。
送受話器３０は、筐体本体２０と対向する面において、図３に示すように、上端側に受話口３１が、下端側に送話口３２が設けられ、これら送話口と受話口の間にはダイヤルボタン３３と機能ボタン３４が設けられている。
【００１３】
また、図１、図２に示すように、筐体本体２０の送受話器３０が配置される部分（子機配置部）の下端側（送受話器３０の送話口３２側）には筐体本体２０の表面から突出された子機載置部２５が形成されている。
送受話器３０の下端は、図３に示すように、一対の接点端子３６が設けられている。筐体本体２０の子機載置部２５の載置面２５Ａには、図４に示すように、該載置面２５Ａに形成された一対のスリット２７から突出する充電端子２８が設けられている。
筐体本体２０に送受話器３０を載置させた場合、図２に示すように、送受話器３０の接点端子３６は、それぞれ、筐体本体２０の対応する充電端子２８に接触するようになり、これら充電端子２８、接点端子３６を通して送受話器３０に充電がなされるようになっている。
【００１４】
図５は、図２の点線枠内の構成を拡大して示した図である。図５に示すように、充電端子２８は、筐体本体２０の子機載置部２５内において、筐体本体２０に取り付けられた基板２９に固定されて配置されている。
基板２９に固定された充電端子２８は、斜視図である図６に示すように、同形・同大の一対で構成されている。
【００１５】
図５に戻り、基板２９は、子機載置部２５の載置面２５Ａにほぼ平行に配置され、充電端子２８の一端は該基板２９に固定部２８Ａを介して固定されている。
また、充電端子２８は、基板２９の固定部２８Ａから子機載置部２５の突出端２５Ｔに向かい、基板２９の表面に沿い、かつ前記基板２９からはみ出して延在する延在部２８Ｂを有するようになっている。
また、充電端子２８は、延在部２８Ｂから基板２９側へ折り返される折り返し部２８Ｃを有するようになっている。この折り返し部２８Ｃは、円弧状からなる湾曲面によって形成されている。この構成により、送受話器３０が筐体本体２０に載置された場合に加重が１点に集中することがなくなり充電端子２８の耐久性が増すようになる。
【００１６】
また、充電端子２８は、折り返し部２８Ｃから前記延在部２８Ｂにほぼ平行に延在する延長部２８Ｄを有するようになっている。この構成により、充電端子２８の接点端子３６に対する加重を得ることができるようになる。
さらに、充電端子２８は、延長部２８Ｄから子機載置部２５の載置面２５Ａに形成されたスリット２７から突出するように（換言すれば、子機載置部２５の載置面２５Ａに送受話器３０が載置された場合、送受話器３０の接点端子３６に向かって）前記延在部２８Ｂから離間するように傾斜をもって延在する傾斜部２８Ｅを有するようになっている。
そして、充電端子２８は、傾斜部２８Ｅの延在端において湾曲する湾曲面ＢＤを有するようになっている。この湾曲面ＢＤは、子機載置部２５の載置面２５Ａに送受話器３０が載置された場合、送受話器の接点端子３６に接触する接触部２８Ｆとなっている。
なお、充電端子２８において、傾斜部２８Ｅおよび接触部２８Ｆは、二股に分かれて構成され（図６参照）、この構成により充電端子２８の接点端子３６に対する充電を確実にさせる構造となっている。
【００１７】
図７は、図５に対応づけて描いた図で、筐体本体２０に送受話器３０を載置させていない場合の充電端子２８の状態を示した断面図である。
図７、図５から明らかとなるように、送受話器３０の接点端子３６が筐体本体２０の充電端子２８の接触部２８Ｆに接触し、その後の、該接点端子３６による充電端子２８の接触部２８Ｆへの押圧にともない、充電端子２８の接触部２８Ｆは接点端子３６の表面を距離αの範囲で摺動するようになる。
【００１８】
図８は、送受話器３０の接点端子３６（図５参照）による充電端子２８の接触部２８Ｆへの押圧によって、該充電端子２８が変形する様子を描いた図である。図８に示すように、該接点端子３６の押圧によって充電端子２８の接触部２８Ｆは、折り返し部２８Ｃを中心にして揺動し（下方へ距離γで変位する）、この場合、充電端子２８の接触部２８Ｆの下方の距離γの変位によって水平方向にも変位するようになるが、折り返し部２８Ｃの水平方向へ距離βの変位が加算されて、充電端子の接触部は水平方向へ距離αの範囲でより大きく変位するようになる。
【００１９】
このため、筐体本体２０へ送受話器３０を載置する際（外す場合も同様）に、送受話器３０の接点端子３６が充電端子２８を広い範囲の距離で摺動することから、セルフクリーニング効果を向上できるようになる。
このことから、本発明による充電端子の構造によれば、載置される電子機器の接点端子に対する摺動範囲を大きくとれ、セルフクリーニング効果を向上できるようになる。
【００２０】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００２１】
１０……コードレス電話装置、
２０……筐体本体、
２１……ダイヤルボタン、
２２……機能ボタン、
２５……子機載置部、
２５Ｔ……突出端（子機載置部の）、
２７……スリット、
２８……充電端子、
２８Ａ……固定部（充電端子の）、
２８Ｂ……延在部（充電端子の）、
２８Ｃ……折り返し部（充電端子の）、
２８Ｄ……延長部（充電端子の）、
２８Ｅ……傾斜部（充電端子の）、
２８Ｆ……接触部（充電端子の）、
２９……基板、
３０……送受話器、
３１……受話口、
３２……送話口、
３３……ダイヤルボタン、
３４……機能ボタン、
３６……接点端子、
ＢＤ……湾曲面。
【図１】
2014192754.tif 000003
【図２】
2014192754.tif 000004
【図３】
2014192754.tif 000005
【図４】
2014192754.tif 000006
【図５】
2014192754.tif 000007
【図６】
2014192754.tif 000008
【図７】
2014192754.tif 000009
【図８】
2014192754.tif 000010